(57)【要約】  信頼できるデータの再生のために、検出信頼性を向上させた同期信号を含む情報記録媒体を提供する。データの記録／再生のための同期信号を含む情報記録媒体において、同期信号は、少なくとも１つ以上連続的に形成された最大長さのパターンと、最大長さのパターンに隣接して信号歪曲が発生しない所定長さ以上のパターンとを含むことを特徴とする。これにより、情報記録媒体の同期信号検出時に発生しうるエラーを防止し、安定的に同期信号を検出でき、特に、超解像情報記録媒体のように記録密度を向上させた高密度記録媒体から安定した同期信号検出できることで、エラー訂正やデータ復調化を安定化させることができる。
2008533642.tif 000002
【特許請求の範囲】
【請求項１】
情報記録媒体において、
データの記録及び／または再生のための同期信号が記録された所定の領域を備え、
前記同期信号は、再生信号で信号歪曲を引き起こさない所定の長さ以上の長さを有する第１間隔と、前記情報記録媒体に再生可能なデータを記録するのに利用される、利用可能なピットまたはスペースの最大長さ以上の長さを有する第２間隔とを含み、前記第１間隔と前記第２間隔とは、互いに隣接し、前記第２間隔は、第１間隔を反転したことを特徴とする記録媒体。
【請求項２】
前記情報記録媒体は、ビームの分解能以下のサイズを有するピット、マークまたはスペースを再生できる超解像記録媒体であることを特徴とする請求項１に記載の記録媒体。
【請求項３】
前記各間隔は、前記情報記録媒体に所定領域に形成されるピット、マークまたはスペースのうちいずれか一つであることを特徴とする請求項１に記載の記録媒体。
【請求項４】
前記同期信号は、ピット、マークまたはスペースを利用して３個の間隔を有するように形成され、前記間隔の長さをそれぞれＴ１、Ｔ２、Ｔ３としたとき、Ｔ１≧ｎ１Ｔ、Ｔ２＝ｎｍａｘＴ、Ｔ３≧ｎ２Ｔ(Ｔは、基準クロックの周期、ｎ１Ｔ及びｎ２Ｔは、信号歪曲を引き起こさない長さ、ｎｍａｘＴは、利用可能な最大長さ)を満足することを特徴とする請求項１に記載の記録媒体。
【請求項５】
前記同期信号は、ピット、マークまたはスペースを利用して４個の間隔を有するように形成され、前記間隔の長さをそれぞれＴ１、Ｔ２、Ｔ３、Ｔ４としたとき、Ｔ１≧ｎ１Ｔ、Ｔ２＝Ｔ３＝ｎｍａｘＴ、Ｔ４≧ｎ２Ｔ(Ｔは、基準クロックの周期、ｎ１Ｔ及びｎ２Ｔは、信号歪曲を引き起こさない長さ、ｎｍａｘＴは、利用可能な最大長さ)を満足することを特徴とする請求項１に記載の記録媒体。
【請求項６】
前記同期信号は、ピット、マークまたはスペースを利用して５個の間隔を有するように形成され、前記間隔の長さをそれぞれＴ１、Ｔ２、Ｔ３、Ｔ４、Ｔ５としたとき、Ｔ１≧ｎ１Ｔ、Ｔ２＝Ｔ３＝Ｔ４＝ｎｍａｘＴ、Ｔ５≧ｎ２Ｔ(Ｔは、基準クロックの周期、ｎ１Ｔ及びｎ２Ｔは、信号歪曲を引き起こさない長さ、ｎｍａｘＴは、利用可能な最大長さ)を満足することを特徴とする請求項１に記載の記録媒体。
【請求項７】
前記同期信号は、ピット、マークまたはスペースを利用して６個の反転間隔を有するように形成され、前記反転間隔の長さをそれぞれＴ１、Ｔ２、Ｔ３、Ｔ４、Ｔ５、Ｔ６としたとき、Ｔ１≧ｎ１Ｔ、Ｔ２＝Ｔ３＝Ｔ４＝Ｔ５＝ｎｍａｘＴ、Ｔ６≧ｎ２Ｔ(Ｔは、基準クロックの周期、ｎ１Ｔ及びｎ２Ｔは、信号歪曲を引き起こさない長さ、ｎｍａｘＴは、利用可能な最大長さ)を満足することを特徴とする請求項１に記載の記録媒体。
【請求項８】
前記ｎ１及びｎ２は４であり、ｎｍａｘは９であることを特徴とする請求項４に記載の記録媒体。
【請求項９】
前記ｎ１及びｎ２は４であり、ｎｍａｘは９であることを特徴とする請求項５に記載の記録媒体。
【請求項１０】
前記ｎ１及びｎ２は４であり、ｎｍａｘは９であることを特徴とする請求項６に記載の記録媒体。
【請求項１１】
前記ｎ１及びｎ２は４であり、ｎｍａｘは９であることを特徴とする請求項７に記載の記録媒体。
【請求項１２】
情報記録媒体において、
前記情報記録媒体からデータを再生するのに利用される同期信号が記録される所定の領域を備え、
前記同期信号は、再生信号で信号歪曲を引き起こさない所定長さ以上の長さを有する第１間隔及び第２間隔と、前記情報記録媒体に再生可能なデータを記録するのに利用される、利用可能なピットまたはスペースの最大長さ以上の長さを有する第３間隔とを備えるパターンを含み、前記第３間隔は、前記第１間隔及び第２間隔の間に位置し、前記各間隔は、互いに反転されていることを特徴とする情報記録媒体。
【請求項１３】
前記第１間隔及び第２間隔の各長さは、前記第３間隔の長さより小さいことを特徴とする請求項１２に記載の情報記録媒体。
【請求項１４】
前記第１間隔及び第２間隔は、マークまたはピットで構成され、前記第３間隔は、スペースで構成されることを特徴とする請求項１２に記載の情報記録媒体。
【請求項１５】
前記第１間隔及び第２間隔は、スペースで構成され、前記第３間隔は、マークまたはピットで構成されることを特徴とする請求項１２に記載の情報記録媒体。
【請求項１６】
前記同期信号パターンは、前記第１間隔及び第２間隔の間に位置した偶数個の第３間隔を備え、前記第２間隔は、前記第１間隔と互いに反転されていることを特徴とする請求項１２に記載の情報記録媒体。
【請求項１７】
前記第３間隔の各長さは、互いに同一であり、
前記第１間隔及び第２間隔の長さは、前記第３間隔の長さより小さいことを特徴とする請求項１６に記載の情報記録媒体。
【請求項１８】
前記第１間隔は、マークまたはピットで構成され、
前記第２間隔は、スペースで構成され、
前記第３間隔は、順次に形成されたスペース及びマークまたはピットで構成されることを特徴とする請求項１６に記載の情報記録媒体。
【請求項１９】
前記第１間隔は、スペースで構成され、
前記第２間隔は、マークまたはピットで構成され、
前記第３間隔は、順次に形成されたスペース及びマークまたはピットで構成されることを特徴とする請求項１６に記載の情報記録媒体。
【請求項２０】
前記同期信号パターンは、前記第１間隔と第２間隔の間に位置した１より大きい奇数個の第３間隔をさらに含み、前記第２間隔は、前記第１間隔に対して反転されていないことを特徴とする請求項１に記載の情報記録媒体。
【請求項２１】
前記第３間隔の各長さは、同一であり、前記第１間隔及び第２間隔のそれぞれの長さは、前記第３間隔のうちいずれかの長さより小さいことを特徴とする請求項２０に記載の情報記録媒体。
【請求項２２】
前記第１間隔及び第２間隔は、マーク及びピットで構成され、
前記第３間隔は、順次に形成されたスペース及びマークまたはピットで構成されることを特徴とする請求項２０に記載の情報記録媒体。
【請求項２３】
前記第１間隔及び第２間隔は、スペースで構成され、
前記第３間隔は、順次に形成されたマークまたはピット及びスペースで構成されることを特徴とする請求項２０に記載の情報記録媒体。
【請求項２４】
前記同期信号のパターンは、対称的であることを特徴とする請求項１２に記載の情報記録媒体。
【請求項２５】
前記同期信号のパターンは、対称的であることを特徴とする請求項１６に記載の情報記録媒体。
【請求項２６】
前記同期信号のパターンは、対称的であることを特徴とする請求項２０に記載の情報記録媒体。
【請求項２７】
前記同期信号は、前記記録媒体の各記録ブロックに記録されることを特徴とする請求項１２に記載の情報記録媒体。
【請求項２８】
前記同期信号は、前記記録媒体の各記録ブロックに記録されることを特徴とする請求項１６に記載の情報記録媒体。
【請求項２９】
前記同期信号は、前記記録媒体の各記録ブロックに記録されることを特徴とする請求項２０に記載の情報記録媒体。
【請求項３０】
情報記録媒体の再生装置において、
前記情報記録媒体に記録された信号を検出する信号検出部と、
前記信号検出部で検出されたアナログ信号をデジタル信号に変換する２値化部と、
前記２値化部から出力されるデジタル信号から、再生信号で信号歪曲を引き起こさない所定長さ以上の長さを有する第１間隔と、前記情報記録媒体に再生可能なデータを記録するのに利用される利用可能な最大長さのピットまたはスペース以上の長さを有する第２間隔とを含み、前記第１間隔は、前記第２間隔と隣接し、前記第１間隔と第２間隔とは互いに反転されている同期信号を抽出する同期信号検出部と、
前記同期信号を利用して、前記情報記録媒体に記録された所定のデータを再生する再生部と、を備えることを特徴とする再生装置。
【請求項３１】
情報記録媒体の記録装置において、
前記情報記録媒体に所定記録単位ブロックでデータを記録する記録部と、
記録されるデータの所定記録単位ブロックごとに、再生信号で信号歪曲を引き起こさない所定長さ以上の長さを有する第１間隔と、前記情報記録媒体に再生可能なデータを記録するのに利用される利用可能な最大長さのピットまたはスペース以上の長さを有する第２間隔とを含み、前記第１間隔は、前記第２間隔と隣接し、前記第１間隔と第２間隔とは、互いに反転されている同期信号を含むように前記記録部を制御する制御部と、を備えることを特徴とする記録装置。
【発明の詳細な説明】
【技術分野】
【０００１】
本発明は、情報記録媒体に係り、さらに詳細には、信頼できるデータの再生のために検出信頼性を向上させた同期信号を含む情報記録媒体に関する。本発明は、特に記録密度の向上のために、分解能以下のサイズを有するマークまたはピットの形態で所定のデータが記録された情報記録媒体(以下、“超解像記録媒体”という。）などに適用されうる。
【背景技術】
【０００２】
一般的に、光ディスクから反射された光は、電気的信号に変換された後、前記変換された電気的信号を所定の信号処理過程を通じて処理して、光ディスクに記録された２進データが再生される。この時、光ディスクから反射された光を電気的信号に変換することで得た信号を、ＲＦ(無線周波数)信号という。光ディスクに２進信号が記録されていても、光ディスクから得たＲＦ信号は、光ディスク特性と光学的な特性によってアナログ信号の性質を有する。ＲＦ信号を２値化することで２進データが得られる。
【０００３】
前記２値化過程を通じて得られた２進信号から原本信号を抽出する過程において、光ディスクの表面に傷やホコリ等によって発生するエラーを訂正するためのエラー訂正やデスクランブル、デインターリービングのような過程を経る。前記過程を行うために、実際ディスクに記録される信号には、エラー訂正のためのパリティやアドレス情報などが付加され、変調過程を通じて光ディスクに記録される信号が得られる。前記変調過程において、一定の間隔で同期信号が挿入され、データの復調時には前記同期信号を検出して、これを基準としてデータの復調を開始する。
【０００４】
一般的に、前記同期信号としてデータ信号より長周期の信号が挿入される。このような長周期の同期信号を挿入することによって、他のデータ信号との混線なしに同期信号を区別して、復調の開始を知らせる基準信号として使用される。
【０００５】
具体的には、前記光ディスクは、光ビームの反射率または屈折率などを変化させるピットによって、０または１の値を有するデジタルビットデータを保存し、このようなチャンネルデータが読み出される時は、チャンネルデータの一定長さごとに特定パターンの同期信号を挿入することによって、前記同期信号を始めとしてデータの復元を可能にしている。例えば、ＣＤ(コンパクトディスク）の場合には、５８８個のチャンネルデータごとに１１Ｔ／１１Ｔの同期信号、すなわち‘１１１１１１１１１１１０００００００００００’または‘０００００００００００１１１１１１１１１１１’の同期信号が挿入されており、ＤＶＤ(Ｄｉｇｉｔａｌ  Ｖｅｒｓａｔｉｌｅ  Ｄｉｓｃ）の場合には、１４８８個のチャンネルデータごとに１４Ｔ／４Ｔの同期信号、すなわち‘１１１１１１１１１１１１１１００００’または‘００００００００００００００１１１１’の同期信号が挿入される。このように、光ディスクシステムでは、同期信号を両端として５８８個のチャンネルデータ及び１４８８個のチャンネルデータが一まとまりのデータとして処理されて復元される。
【０００６】
一方、最近には、記録媒体の大容量化に対する要求が高くなり、光ディスクにおいて記録密度を高めるために、トラックピッチを狭めるか、または記録ピットの最短長さを短くする方法が提案されている。例えば、記録媒体に記録されたデータを再生するための光源の波長がλであり、対物レンズの開口数がＮＡである時、再生分解能の限界、すなわち、λ／４ＮＡより小さいサイズを有する記録マークを再生できる超解像記録媒体などが提案されている。
【０００７】
前記超解像記録媒体は、超解像層にできる光スポット内で部分的な光強度差によって温度分布変化または光学的特性変化が起こるため、分解能限界を超えるサイズを有するマークの再生が可能となる。
【０００８】
図１Ａは、超解像記録媒体に記録されたマークの記録パターンを示し、図１Ｂは、このようなパターンのマークを再生したＲＦ信号を示す図である。記録パターンは、レーザービームの波長が４０５ｎｍであり、ＮＡが０．８５であり、分解能が約１１９ｎｍである時、分解能より小さい７５ｎｍ長さのマーク２Ｔと、分解能より大きい３００ｎｍ長さのマーク８Ｔと、スペースとの組み合わせである。図１Ｂの再生信号を参照するに、８Ｔ長さのマークまたはスペースが光スポットの周辺にある時、前記８Ｔマークとスペースとの影響によって、２Ｔ長さのマークが明確に検出されないことが分かる。
【０００９】
このように、超解像記録媒体の場合、隣接シンボルによって現在信号が影響を受ける隣接シンボル間干渉(ＩＳＩ：ｉｎｔｅｒ−Ｓｙｍｂｏｌ  ｉｎｔｅｒｆｅｒｅｎｃｅ)が深化する問題点がある。特に、小さい長さのピット(記録可能なディスクの場合には、マークまたはスペース)が、長い長さのピットに隣接して位置した場合、ＲＦ信号が０点交差点まで至らず、歪曲される現象をもたらす。すなわち、長周期の信号と隣接している短周期の信号は、長周期の信号によって正しく検出できない場合が発生する。
【００１０】
前記のような歪曲現象が同期信号に発生すれば、同期信号が正しく検出されないため、同期信号以後のデータの記録及び／または再生時に問題が発生しうる。
【発明の開示】
【発明が解決しようとする課題】
【００１１】
本発明は、前記のような問題点を解決するために案出されたものであって、検出の信頼性を向上させた同期信号を含む情報記録媒体、情報記録媒体に同期信号及びデータ信号を記録する装置、及び同期信号を備えた情報記録媒体からデータを再生する装置を提供するところに目的がある。
【課題を解決するための手段】
【００１２】
前記のような技術的課題を達成するために、本発明による情報記録媒体は、データの記録／再生のための同期信号を含む情報記録媒体において、前記同期信号は、少なくとも１つ以上連続的に形成された最大長さのパターンと、前記最大長さのパターンに隣接して信号歪曲を引き起こさない所定長さ以上のパターンとを含むことを特徴する。
【００１３】
前記情報記録媒体は、ビームの分解能以下のサイズを有するピット、マークまたはスペースを再生できる超解像記録媒体であることが望ましい。
【００１４】
前記パターンは、前記情報記録媒体に所定領域に形成されるピット、マークまたはスペースのうちいずれか一つを示すことが望ましい。
【００１５】
前記同期信号は、ピット、マークまたはスペースを利用して３個の反転間隔を有するように形成され、前記反転間隔の長さをそれぞれＴ１、Ｔ２、Ｔ３としたとき、Ｔ１≧ｎ１Ｔ、Ｔ２＝ｎｍａｘＴ、Ｔ３≧ｎ２Ｔ(Ｔは、基準クロックの周期、ｎ１Ｔ及びｎ２Ｔは、信号歪曲を引き起こさない長さ、ｎｍａｘＴは、利用可能な最大長さ)を満足することが望ましい。
【００１６】
前記同期信号は、ピット、マークまたはスペースを利用して４個の反転間隔を有するように形成され、前記反転間隔の長さをそれぞれＴ１、Ｔ２、Ｔ３、Ｔ４としたとき、Ｔ１≧ｎ１Ｔ、Ｔ２＝Ｔ３＝ｎｍａｘＴ、Ｔ４≧ｎ２Ｔを満足することが望ましい。
【００１７】
前記同期信号は、ピット、マークまたはスペースを利用して５個の反転間隔を有するように形成され、前記反転間隔の長さをそれぞれＴ１、Ｔ２、Ｔ３、Ｔ４、Ｔ５としたとき、Ｔ１≧ｎ１Ｔ、Ｔ２＝Ｔ３＝Ｔ４＝ｎｍａｘＴ、Ｔ５≧ｎ２Ｔを満足することが望ましい。
【００１８】
前記同期信号は、ピット、マークまたはスペースを利用して６個の反転間隔を有するように形成され、前記反転間隔の長さをそれぞれＴ１、Ｔ２、Ｔ３、Ｔ４、Ｔ５、Ｔ６としたとき、Ｔ１≧ｎ１Ｔ、Ｔ２＝Ｔ３＝Ｔ４＝Ｔ５＝ｎｍａｘＴ、Ｔ６≧ｎ２Ｔを満足することが望ましい。前記ｎ１及びｎ２は４であり、ｎｍａｘは９となりうる。
【００１９】
本発明の他の側面によれば、情報記録媒体の再生装置において、前記情報記録媒体に記録された信号を検出する信号検出部と、前記信号検出部で検出されたアナログ信号をデジタル信号に変換する２値化部と、前記２値化部から出力されるデジタル信号から、少なくとも１つ以上連続的に形成された最大長さのパターンと、前記最大長さのパターンに隣接して信号歪曲を引き起こさない所定長さ以上のパターンとで形成された同期信号を抽出する同期信号検出部と、前記同期信号を利用して、前記情報記録媒体に記録された所定のデータを再生する再生部とを備える再生装置が提供される。
【００２０】
本発明のさらに他の側面によれば、情報記録媒体の記録装置において、前記情報記録媒体に所定記録単位ブロックでデータを記録する記録部と、記録されるデータの所定記録単位ブロックごとに少なくとも１つ以上連続的に形成された最大長さのパターンと、前記最大長さのパターンに隣接して信号歪曲を引き起こさない所定長さ以上のパターンとで形成された同期信号を含むように、前記記録部を制御する制御部とを備える記録装置が提供される。
【発明の効果】
【００２１】
本発明によれば、情報記録媒体の同期信号検出時に発生しうるエラーを防止し、安定的に同期信号を検出できる。
【００２２】
特に、本発明は、超解像情報記録媒体のように記録密度を向上させた高密度記録媒体において安定した同期信号を検出でき、したがって、エラー訂正やデータ復調化を安定化させることができる。
【００２３】
さらに、本発明は、情報記録媒体関連装置で信号処理時に基準信号として使われる同期信号の検出信頼性を向上させて、全体的なシステムの性能向上を可能にする。
【発明を実施するための最良の形態】
【００２４】
以下、添付された図面を参照して本発明の望ましい実施形態を詳細に説明する。
【００２５】
図２Ａ及び図２Ｂは、情報記録媒体に記録されたピットの長さ変化によるＲＦ信号の振幅特性を示すグラフである。ここで、Ｔを基準クロックの周期としたとき、図２Ａは、２５ＧＢの容量で２Ｔ〜９Ｔ長さのピットが形成された場合、図２Ｂは、５０ＧＢの容量で２Ｔ〜９Ｔ長さのピットが形成された場合、それぞれピット長さの変化によるＲＦ信号の振幅を示すものである。また、波長が４０５ｎｍであるレーザービーム及び開口数(ＮＡ)が０．８５である対物レンズを利用してＲＦ信号の振幅を測定した。
【００２６】
図２Ａを参照するに、相対的に小さな２５ＧＢの記録容量を有する情報記録媒体において、最短長さである２Ｔ長さのピットの場合にも基準レベル、すなわちｙ軸の値が０以上であるＲＦ信号が検出されることを確認することができる。しかし、図２Ｂに示す５０ＧＢの記録容量を有する情報記録媒体の場合、４Ｔ以上の長さを有するピットに対するＲＦ信号は、基準レベル以上に正しく検出されるのに対して、３Ｔ及び２Ｔの小さな長さを有するピットに対するＲＦ信号は、基準レベル以下の小さな大きさで検出されることを確認することができる。このように、情報記録媒体の記録密度が増加するにつれて、小さな長さを有するピットを正確に検出し難い。これによって、小さな長さを有するピットでもって同期信号を構成する場合、同期信号自体が検出されないか、または他のデータ信号を同期信号として誤って判断してエラーが発生する確率が上昇する。
【００２７】
したがって、本発明は、記録密度を向上させた情報記録媒体、特にビームの分解能以下の小さな記録ピットまたはマークを再生できる超解像情報記録媒体において、データを読み出す時に基準信号として動作する同期信号がエラーなく検出されるように、前記同期信号をエラーが発生しない所定大きさ以上の長さを有する間隔として構成することによって、信頼性のあるデータの記録及び／または再生を可能にすることを特徴とする。
【００２８】
一般的に、データの記録及び／または再生時基準信号として動作する同期信号は、同期信号自体の間隔が一定、すなわち同期信号の全体長さが均一でなければならず、他のデータと混同しないようにデータに存在しないパターンで構成されることが要求される。
【００２９】
前記一般的な条件以外に、本発明の一実施形態による同期信号は、記録媒体に再生可能なデータを記録するのに利用される、利用可能なピットまたはスペースの最大長さ以上の長さを有するピットまたはスペース(記録可能なディスクの場合にはマークまたはスペース)を備える第１間隔と、信号歪曲を引き起こさない所定の長さ以上のピットまたはスペースを備える第２間隔とを含み、第１間隔は、第２間隔に隣接し、第１間隔と第２間隔とは互いに反転されている。すなわち、第１間隔がピットであれば、第２間隔はスペースであり、第１間隔がスペースであれば、第２間隔はピットで構成される。
【００３０】
前記同期信号は、情報記録媒体の所定記録領域に他のデータと共に記録されて、情報記録媒体に記録されたデータの再生時等に基準信号として利用される。
【００３１】
図３Ａは、本発明による情報記録媒体に含まれた同期信号の一実施形態を示す図であり、図３Ｂは、図３Ａに示す同期信号のビットパターンを示す図である。
【００３２】
図３Ａを参照するに、本発明の一実施形態による同期信号は、反転間隔がｎ１Ｔ−ｎｍａｘＴ−ｎ２Ｔであるパターンとなるように形成される。ここで、ｎｍａｘＴは、情報記録媒体で利用可能なピット、マークまたはスペースの最大長さを意味する。また、ｎ１Ｔ及びｎ２Ｔは、情報記録媒体の再生時信号の歪曲なしに検出できるピット、マークまたはスペースの長さを意味する。例えば、前記図２Ｂに示すように、５０ＧＢの高容量情報記録媒体の場合に、４Ｔ長さを有する記録ピットやマークからは基準レベル以上のＲＦ信号が検出されたが、４Ｔ未満の長さを有する記録ピットやマークからは基準レベル以下のＲＦ信号が検出された。したがって、このような場合、前記ｎ１及びｎ２は、少なくとも４以上の値を有さねばならない。すなわち、ｎ１Ｔ≧４Ｔ及びｎ２Ｔ≧４Ｔである。但し、前記ｎ１Ｔ及びｎ２Ｔは、利用可能な最大ピットまたはマークの長さを超えることはできない。
【００３３】
利用可能なピット、マークまたはスペースの最大長さであるｎｍａｘＴは、例えば、既存のブルーレイディスクで最大長さの同期信号の反転間隔として利用される９Ｔの長さを有するように構成できる。
【００３４】
したがって、本発明の一実施形態による同期信号は、Ｔ１≧４Ｔ、Ｔ２＝９Ｔ、Ｔ３≧４Ｔを満足する反転間隔で構成されうる。図３Ｂでは、図３Ａの同期信号パターンを通じて得られるビットパターンを示している。
【００３５】
一方、図３Ａでは、前記最大長さを有する同期信号の反転間隔が１つである場合を示しているが、これに限定されず、前記最大長さを有する同期信号の反転間隔が連続的に少なくとも１つ以上含まれるように形成してもよい。このような場合として、図４ないし図６では、本発明の他の実施形態による同期信号を示している。
【００３６】
図４を参照するに、本発明の他の実施形態による同期信号は、反転間隔がｎ１Ｔ−ｎｍａｘＴ−ｎｍａｘＴ−ｎ２Ｔであるパターンとなるように形成される。すなわち、最大長さを有するピット、マークまたはスペースが連続的に２つ連結され、前記連続的に連結された最大長さのピット、マークまたはスペースの前後に隣接してＲＦ信号が歪曲されない所定長さ以上のｎ１Ｔ及びｎ２Ｔの長さを有するピット、マークまたはスペースが形成されるようにする。一例として、Ｔ１≧４Ｔ、Ｔ２＝９Ｔ、Ｔ３＝９Ｔ、Ｔ４≧４Ｔを満足するように同期信号を構成できる。
【００３７】
図５を参照するに、本発明の他の実施形態による同期信号は、最大長さを有するピット、マークまたはスペースが連続的に３つ連結されるという点を除いては、前記図４の場合と類似している。図５に示す同期信号の一例として、Ｔ１≧４Ｔ、Ｔ２＝９Ｔ、Ｔ３＝９Ｔ、Ｔ４＝９Ｔ、Ｔ５≧４Ｔを満足するように同期信号を構成できる。
【００３８】
同様に、図６を参照するに、本発明の他の実施形態による同期信号は、前記最大長さを有するピット、マークまたはスペースが連続的に４つ連結されたパターンで構成できる。特に、前記図６に示すように同期信号パターンを構成する場合、最大長さを有する同期信号の反転間隔が４つ連続されて構成されるため、ｎ１Ｔ及びｎ２Ｔと相対的に短い間隔を有する同期信号部分によって、隣接した最大長さを有する同期信号の間隔に該当する信号が歪曲される場合にも、同期信号が正常に検出されうる。すなわち、図６においてＴ１及びＴ６区間の相対的に短い長さを有する同期信号によってＴ２及びＴ５の同期信号が歪曲されるが、このような場合にもＴ３及びＴ４に該当する信号部分は、正常に検出されるので、同期信号を正常に検出することが可能である。図６に示す同期信号の一例として、Ｔ１≧４Ｔ、Ｔ２＝９Ｔ、Ｔ３＝９Ｔ、Ｔ４＝９Ｔ、Ｔ５＝９Ｔ、Ｔ６≧４Ｔを満足するように同期信号を構成できる。
【００３９】
また、本発明による同期信号は、最大長さを有する同期信号の区間が対称的なパターンを形成して、デジタル合計値演算(Ｄｉｇｉｔａｌ  Ｓｕｍ  Ｖａｌｕｅ)に有利である。
【００４０】
前記図３ないし図６を参照して、最大長さを有する同期信号の反転間隔が１つから４つを含む場合を説明したが、本発明による思想は、前記場合に限定されるものではなく、さらに多くの最大長さを有する同期信号の反転間隔を含む場合にも同一に適用されうる。
【００４１】
図７は、前記のような構成を有する同期信号を含む情報記録媒体を再生する装置のブロック図である。図７を参照するに、本発明による情報記録媒体の再生装置１００は、信号検出部１０５、２値化部１１０、同期信号検出部１２０、データ同期部１２５、及びデータ再生部１３０を備える。
【００４２】
信号検出部１０５は、同期信号の検出信頼性を向上させた本発明による情報記録媒体Ｄに所定の再生ビームを照射し、前記情報記録媒体Ｄで反射されたビームを検出する光ピックアップ部などを備え、前記情報記録媒体Ｄに記録された信号を検出する。
【００４３】
２値化部１１０は、信号検出部１０５で検出されたアナログ信号形態の信号をデジタル信号に変換する。
【００４４】
同期信号検出部１２０は、２値化部１１０から出力されるデジタル信号から同期信号を抽出して、データ同期部１２５に出力する。
【００４５】
データ同期部１２５は、前記同期信号を利用してデータの再生のための基準信号を生成し、これをデータ再生部１３０に出力し、データ再生部１３０は、２値化部１１０から出力されるデジタル信号と、データ同期部１２５から出力される基準信号として動作する同期信号とを利用して、前記情報記録媒体Ｄに記録されたデータを再生する。
【００４６】
図８は、本発明による情報記録媒体に所定のデータを記録する記録装置の構成を概略的に示すブロック図である。図８を参照するに、本発明による記録装置２００は、記録部２０５及び制御部２１０を備える。記録部２０５は、制御部２１０の制御によって、本発明による情報記録媒体のディスクＤにデータを記録する。制御部２１０は、本発明によってデータを所定記録単位ブロックで記録するように記録部２０５を制御する。
【００４７】
特に、本発明において、制御部２１０は、所定記録単位ブロックごとに前述した同期信号を含むように記録部２１０を制御して、以後に前記情報記録媒体に記録されたデータの再生時に信頼性のある同期信号の検出を可能にする。
【００４８】
前述のように、本発明は、記録容量が増大するにつれて、ＲＦ信号の振幅が所定レベル以上の大きさを有するように所定長さ以上の反転間隔で構成することによって、信頼性のある同期信号の検出を可能にする。
【００４９】
以上、本発明についてその望ましい実施例を中心に説明した。当業者は、本発明が本発明の本質的な特性から逸脱しない範囲で変形された形態で具現され得るということが理解できるであろう。したがって、開示された実施例は、限定的な観点ではなく、説明的な観点で考慮されねばならない。本発明の範囲は、前述した説明ではなく、特許請求の範囲に記載されており、それと同等な範囲内にあるあらゆる差異点は、本発明に含まれたものと解釈されねばならない。
【図面の簡単な説明】
【００５０】
【図１Ａ】超解像記録媒体に記録されたマークの記録パターン及び前記パターンのマークを再生したＲＦ信号を示す図である。
【図１Ｂ】超解像記録媒体に記録されたマークの記録パターン及び前記パターンのマークを再生したＲＦ信号を示す図である。
【図２Ａ】情報記録媒体に記録されたピットの長さ変化によるＲＦ信号の振幅特性を示すグラフである。
【図２Ｂ】情報記録媒体に記録されたピットの長さ変化によるＲＦ信号の振幅特性を示すグラフである。
【図３Ａ】本発明による情報記録媒体に含まれた同期信号の一実施形態を示す図である。
【図３Ｂ】図３Ａに示された同期信号のビットパターンを示す図である。
【図４】本発明の他の実施形態による同期信号を示す図である。
【図５】本発明の他の実施形態による同期信号を示す図である。
【図６】本発明の他の実施形態による同期信号を示す図である。
【図７】本発明による同期信号を含む情報記録媒体を再生する装置のブロック図である。
【図８】本発明による図３ないし図６に示す同期信号のうち一つを含む情報記録媒体にデータを記録する記録装置のブロック図である。
【図１Ａ】
2008533642.tif 000003
【図１Ｂ】
2008533642.tif 000004
【図２Ａ】
2008533642.tif 000005
【図２Ｂ】
2008533642.tif 000006
【図３Ａ】
2008533642.tif 000007
【図３Ｂ】
2008533642.tif 000008
【図４】
2008533642.tif 000009
【図５】
2008533642.tif 000010
【図６】
2008533642.tif 000011
【図７】
2008533642.tif 000012
【図８】
2008533642.tif 000013
【国際調査報告】
2008533642.tif 000014
2008533642.tif 000015